(57)【要約】      （修正有）【課題】多数の水槽を積み上げることができ、低コストの養殖を実現する為の養殖水槽を提供する。【解決手段】棘皮動物や貝類、エビ類などの遊泳しない水生動物１０を養殖するための養殖水槽１であって、最大水深Ｄが、水生動物の高さＨより大きく、かつ、３０ｃｍ以下である。底面の幅方向の断面形状は多角形弧状であり、底面と間隙を有するように設けられた底板６を備え、底板には、水生動物を通過させず、水生動物の糞および残餌を通過させる大きさの穴が形成されている。【選択図】図４
0003215559.tif 000002
【実用新案登録請求の範囲】
【請求項１】
遊泳しない水生動物を養殖するための養殖水槽であって、
最大水深が、前記水生動物の高さより大きく、かつ、３０ｃｍ以下である、養殖水槽。
【請求項２】
前記最大水深が、前記水生動物の高さの２倍以上３倍以下である、請求項１に記載の養殖水槽。
【請求項３】
前記最大水深が１０ｃｍ以上１５ｃｍ以下である、請求項１または２に記載の養殖水槽。
【請求項４】
底面の幅方向の断面形状は多角形弧状である、請求項１〜３のいずれかに記載の養殖水槽。
【請求項５】
前記多角形弧は左右対称である、請求項４に記載の養殖水槽。
【請求項６】
前記多角形弧の角部は仮想的な円または楕円と接する位置にある、請求項４または５に記載の養殖水槽。
【請求項７】
底面と間隙を有するように設けられた底板を備えた、請求項１〜６のいずれかに記載の養殖水槽。
【請求項８】
前記底板には、前記水生動物を通過させず、前記水生動物の糞および残餌を通過させる大きさの穴が形成されている、請求項７に記載の養殖水槽。
【請求項９】
前記養殖水槽の内部領域を平面方向に区切る仕切板を備えた、請求項１〜８のいずれかに記載の養殖水槽。
【請求項１０】
前記仕切板には、前記水生動物を通過させず、前記水生動物の糞および残餌を通過させ、水流を調整する大きさの穴が形成されている、請求項９に記載の養殖水槽。
【請求項１１】
外部から前記養殖水槽の内部に水を供給するための給水管と、
前記養殖水槽の内部から外部へ水を排出するための排水管とを備え、
底面が前記給水管から前記排水管に向かう方向に低くなるように傾斜している、請求項１〜１０のいずれかに記載の養殖水槽。
【請求項１２】
前記底面の傾斜角度が５°以下である、請求項１１に記載の養殖水槽。
【請求項１３】
前記養殖水槽の内部に水を吐出するためのノズルを複数備え、
前記各ノズルは、前記給水管から前記排水管に向かう方向に開口している、請求項１１または１２に記載の養殖水槽。
【考案の詳細な説明】
【技術分野】
【０００１】
本考案は、養殖水槽に関し、特に、遊泳しない水生動物を養殖するための養殖水槽に関する。
【背景技術】
【０００２】
水生動物を陸上で養殖するために、現状では、水深が概ね５０ｃｍを超える深い養殖水槽が使用されている。そのような水槽に養殖水を満たすためには、多量の水が必要になるため、水槽の荷重が重くなる。また、養殖水が多くなるほど、水を供給するためのポンプや、水温を管理するための温度制御装置、水質を維持するための浄化装置（例えば濾過装置）などの付属設備が大掛かりになるため、設置コストおよびランニングコストが大きくなる。
【０００３】
日本は土地が狭く、土地代も高いため、既存の陸上養殖では水槽を高さ方向に積み上げた多段式の養殖装置も利用されている。しかし、水量が多いため、水槽を支える枠や支柱に大きな荷重がかかり、あまり多数の水槽を積み上げることは困難であった。そのため、既存の陸上養殖は利益が出にくく、実施されている養殖種も極めて少なく、普及していないのが実情である。
【考案の概要】
【考案が解決しようとする課題】
【０００４】
本考案は、上述の問題に鑑みてなされたものであり、その課題は、低コストの養殖を実現する為の養殖水槽を提供することにある。
【課題を解決するための手段】
【０００５】
本考案者は、棘皮動物や貝類、遊泳しないエビ類などといった水底を匍匐する動物は、水中を遊泳する事がないため、浅い水槽であっても養殖可能であることを見出し、本考案を完成するに至った。
【０００６】
すなわち本考案は、次の項に記載の主題を包含する。
項１．
遊泳しない水生動物を養殖するための養殖水槽であって、
最大水深が、前記水生動物の高さより大きく、かつ、３０ｃｍ以下である、養殖水槽。
項２．
前記最大水深が、前記水生動物の高さの２倍以上３倍以下である、項１に記載の養殖水槽。
項３．
前記最大水深が１０ｃｍ以上１５ｃｍ以下である、項１または２に記載の養殖水槽。
項４．
底面の幅方向の断面形状は多角形弧状である、項１〜３のいずれかに記載の養殖水槽。
項５．
前記多角形弧は左右対称である、項４に記載の養殖水槽。
項６．
前記多角形弧の角部は仮想的な円または楕円と接する位置にある、項４または５に記載の養殖水槽。
項７．
底面と間隙を有するように設けられた底板を備えた、項１〜６のいずれかに記載の養殖水槽。
項８．
前記底板には、前記水生動物を通過させず、前記水生動物の糞および残餌を通過させる大きさの穴が形成されている、項７に記載の養殖水槽。
項９．
前記養殖水槽の内部領域を平面方向に区切る仕切板を備えた、項１〜８のいずれかに記載の養殖水槽。
項１０．
前記仕切板には、前記水生動物を通過させず、前記水生動物の糞および残餌を通過させ、水流を調整する大きさの穴が形成されている、項９に記載の養殖水槽。
項１１．
外部から前記養殖水槽の内部に水を供給するための給水管と、
前記養殖水槽の内部から外部へ水を排出するための排水管とを備え、
底面が前記給水管から前記排水管に向かう方向に低くなるように傾斜している、項１〜１０のいずれかに記載の養殖水槽。
項１２．
前記底面の傾斜角度が５°以下である、項１１に記載の養殖水槽。
項１３．
前記養殖水槽の内部に水を吐出するためのノズルを複数備え、
前記各ノズルは、前記給水管から前記排水管に向かう方向に開口している、項１１または１２に記載の養殖水槽。
【考案の効果】
【０００７】
本考案によれば、低コストの養殖水槽を提供することができる。
【図面の簡単な説明】
【０００８】
【図１】（ａ）〜（ｃ）はそれぞれ、本考案の実施形態に係る養殖水槽の長手方向の断面図、平面図、および幅方向の断面図である。
【図２】養殖水槽の断面図である。
【図３】底板の断面図である。
【図４】養殖水槽および底板の断面図である。
【図５】（ａ）は、仕切板の側面図であり、（ｂ）は、底板および仕切板が設けられた養殖水槽の断面図である。
【図６】（ａ）〜（ｃ）は、養殖水槽の断面形状の変形例である。
【図７】養殖水槽のさらなる変形例を示す斜視図である。
【考案を実施するための形態】
【０００９】
以下、本考案の実施形態について説明する。ただし、本考案の技術的範囲は、実施形態に限定されない。
【００１０】
（養殖水槽の構成）
図１（ａ）〜（ｃ）はそれぞれ、本実施形態に係る養殖水槽（以下、「水槽」と称する）１の幅方向の断面図、長手方向の断面図、および平面図である。水槽１は、遊泳しない水生動物を養殖するための水槽である。「遊泳しない水生動物」とは、少なくとも成体が遊泳しない水生動物であり、その幼生は遊泳可能であってもよい。そのような水生動物としては、水底を匍匐する底棲動物が挙げられ、具体的には、ウニ、ナマコなどの棘皮動物、並びに、アワビなどの貝類や遊泳しないエビ類などが挙げられる。
【００１１】
図１（ｂ）に示すように、水槽１は、平面視長方形状であり、図１（ａ）に示すように、養殖水は水槽１の長手方向を右に向かって流れる。以下、水槽１の長手方向の上流側および下流側を、単に「上流側」および「下流側」と称する。
【００１２】
水槽１は、主に壁板と水槽骨格で構成されている。壁板の材質は、特に限定されないが、強化プラスチック、炭素繊維強化プラスチック、発泡樹脂等の軽量で強度の高い成型樹脂が好ましい。水槽骨格の材質は、前述の成形樹脂の他、ステンレス、チタンなどの金属であってもよい。また、水槽骨格上に樹脂による防水被覆を施してもよい。
【００１３】
水槽１で養殖される水生動物は、遊泳することがないため、少なくともその個体全体が水に浸るようにすればよい。そのため、水槽１の最大水深は、水生動物の高さより大きく、かつ、３０ｃｍ以下となっている。
【００１４】
また、水生動物が、アワビなどのシェルターを必要とする養殖種であっても、水生動物がシェルター上部を移動するときに個体全体が水に浸るようにすればよい。そのため、水槽１の最大水深が水生動物の高さの２倍以上３倍以下であることが好ましい。具体的な寸法は、養殖する水生動物の大きさに依存するが、例えば、水生動物が直径５ｃｍのウニである場合、水槽１の最大水深は１０ｃｍ以上１５ｃｍ以下であることが好ましい。
【００１５】
水槽１の幅および長さは特に限定されないが、水槽１の幅は、１５０ｃｍ（標準的な日本人の腕の長さの２倍）以下が適切である。これにより、水槽１の両側から槽内作業が可能となる。また、水槽１の長さは、水槽１の強度に応じて決定されるが、水槽１を支柱で等間隔に支えたり、水槽骨格の接合部を強化することで、水槽１の長さを伸ばすことができる。なお、接合部が複数存在する場合、接合部の間隔は２５０ｃｍ以下が好ましい。
【００１６】
図１（ｃ）に示すように、水槽１の底面１ａの幅方向の断面形状は、多角形弧状である。より具体的には、図２に示すように、底面１ａをなす多角形弧は、水槽１の幅方向の中心線Ｌに関して左右対称であり、多角形弧の角部Ｃは、仮想的な楕円Ｅと接する。このような構造により、養殖水の水流が妨げられることなく、水生動物の糞や残餌が水槽１の底面に集まり易くなる。また、後述する排水口８を開いたり、水槽１を傾斜させることなどにより、水槽１の底部の水流を速める工夫をすれば、糞や残餌が下流方向に容易に移動しやすくなり、水槽を清潔に保つことができる。
【００１７】
また、楕円Ｅの一部を含む半楕円の枠体を用意し、その枠体に角部Ｃが接するように水槽１を嵌め込むことにより、水槽１を安定して設置することができる。
【００１８】
水槽１は、流水配管２、給水管３、排水管４、オーバーフロー排水管５、底板６および仕切板７を備えている。
【００１９】
流水配管２は、養殖水を外部（例えば海洋）から水槽１に供給する配管であり、給水管３に接続されている。給水管３は、外部から水槽１の内部に水を供給するための管であり、水槽１の上流側の側面に形成されている。流水配管２から供給された養殖水は、給水管３を介して水槽１の内部に流入する。
【００２０】
水槽１の下流側の底面には、排水口８が形成されており、この排水口８に、水槽１の内部から外部へ水を排出するための排水管４が取り付けられている。排水口８の口径は、５０ｍｍ〜１００ｍｍが好ましい。通常は、排水口８は蓋で塞がれているが、蓋を取り外すと、排水口８から養殖水が外部に流出し、給水管３から排水口８に向かって水流が発生する。
【００２１】
オーバーフロー排水管５は、養殖水が水槽１から溢れ出すことを防止する管であり、水槽１の下流側の側面上部に形成されている。底板６が設けられていない場合、オーバーフロー排水管５の水槽１の底面からの高さによって、水槽１の最大水深が規定される。
【００２２】
底板６は、水槽１の底面と間隙を有するように設けられている。底板６の平面視の外形は水槽１の底面よりも一回り小さい。図３に示すように、底板６には支持部材９が取り付けられており、底板６は水槽１の底面とほぼ平行に離間している。支持部材９の先端が、水槽１の底面の角部Ｃに対応する箇所に当接することで、底板６を安定させることができる。
【００２３】
底板６には、多数の穴が形成されている。穴の大きさは、水生動物を通過させず、水生動物の糞や残餌を通過させる大きさである。穴の形状は特に限定されないが、例えば、四角形や円形である。底板６の穴によって、水生動物の糞や残餌は水槽１の底面に集まり、底板６上の環境を清潔に保つことができる。
【００２４】
なお、底板６が設けられている場合、水槽１の最大水深は、底板６からオーバーフロー排水管５までの高さによって規定される。具体的には、図４に示すように、満杯状態の水槽１では、底板６から水面までの距離が最大水深Ｄとなる。ここで、水生動物（図４ではウニ）１０の高さがＨであるとすると、２Ｈ≦Ｄ≦３Ｈであることが好ましい。
【００２５】
仕切板７は、水槽１の内部領域を平面方向に区切る部材である。本実施形態では、水槽１の長手方向に沿って２つの仕切板７が設けられており、底板６上の領域を上流側と下流側の２つの領域に区切っている。
【００２６】
また、底板６と同様に、仕切板７にも多数の穴が形成されており、穴の大きさは、水生動物を通過させず、水生動物の糞や残餌を通過させる大きさである。仕切板７を設けることにより、水流を妨げることなく、成長度合いの異なる水生動物を、水槽１内の異なる領域で育てることができる。仕切板７の形状は特に限定されないが、図１（ｃ）に示すように、水槽１の側面および底板６の上面に沿った形状であってもよいし、図５（ａ）および（ｂ）に示すように、水槽１の断面に沿った形状であってもよい。仕切板７の穴の大きさおよび数を適宜設定することにより、水流を調整することができる。
【００２７】
さらに、水槽１の底部の水流を速めるために、水槽１は、底面が給水管３から排水管４に向かう方向に低くなるように傾斜していることが好ましく、底面の傾斜角度が２°以上５°以下であることがより好ましい。これにより、底面に溜まった糞や残餌を、水流によって排出しやすくなる。水槽１を傾斜させる方法としては、水槽１を枠体に嵌め、枠体を複数の支柱によって支持し、上流側の支柱を高く調整する方法が挙げられる。
【００２８】
（本考案の効果）
本考案では、遊泳することのない水生動物を養殖する場合、浅い水槽であっても成長に影響がないことに着目し、養殖水槽の水深を既存のものよりも小さくしたことを特徴としている。例えば、水槽の水深を１０ｃｍ以上１５ｃｍ以下とすることで、水深が５０ｃｍの既存の水槽に比べ、水量を約１／３から１／５に大幅に削減することができる。これにより、水槽の重量を減らすことができ、水槽の設置コストを減らすことができる。さらに設置面積当たりの収容面積を大きくするために、多数の水槽を高さ方向に積み上げて多段式の養殖装置を構成することも容易になる。また、養殖環境を維持管理するための装置を小型化できるため、ランニングコストも減らすことができる。
【００２９】
このように、本考案に係る養殖水槽を用いることで、養殖施設をコンパクト化して、コストを低減することが可能となる。
【００３０】
（付記事項）
以上、本考案の実施形態について説明したが、本考案は上記実施形態に限定されるものではなく、その趣旨を逸脱しない限りにおいて種々の変更が可能であり、例えば、上記実施形態に開示された技術的手段を適宜組み合わせて得られる形態も、本考案の技術的範囲に属する。
【００３１】
例えば、上記実施形態では、図２に示すように、水槽１の断面形状は、角部Ｃが楕円Ｅと接する形状であったが、これに限定されない。例えば、図６（ａ）に示すように、角部Ｃが円Ｓと接する形状であってもよい。
【００３２】
また、図２に示す水槽１の断面形状は、角部Ｃを５つ有する六角形弧であったが、例えば、図６（ｂ）および（ｃ）に示すように、角部Ｃを４つ有する五角形弧であってもよい。
【００３３】
また、水槽１の断面形状は左右非対称であってもよい。さらに、水槽１の断面形状は、多角形弧状に限定されず、円弧状や楕円弧状であってもよい。また、水槽１の底面に、糞や残餌を流すための溝を設けてもよい。
【００３４】
また、底板６および仕切板７は、必須の部材ではない。例えば、底板６の代わりに、水生動物を収容するカゴを用いることもできる。カゴを水槽１の底面に設ける場合、カゴの端が底面の角部Ｃに対応する箇所に当接することで、カゴを水平に取り付けることができる。また、カゴの下に隙間が生じるため、糞や残餌の分離および排出が容易になる。
【００３５】
また、図７に示す水槽１’のように、槽内にパイプ１１を配置し、パイプ１１の複数個所に吐出用のノズル１２を設けてもよい。パイプ１１は給水管３に接続されており、各ノズル１２は、下流側に向かって開口している。なお、図７では、底板６や仕切板７の図示を省略している。
【００３６】
このように、水槽１’は、内部に水を吐出するためのノズル１２を複数備え、各ノズルは、給水管３から排水管４に向かう方向に開口している。養殖水の吐出口を複数個所に設けることで、より均等な水流を形成することができる。また、アワビを養殖する場合、アワビは水流が生じている場所を好むため、養殖水の流入箇所が１箇所のみであると、当該箇所にアワビが集中する。一方、水槽１’のように、養殖水の吐出口を複数個所とすることで、アワビを複数の領域に分散させることができる。
【００３７】
なお、パイプ１１は、水槽１’の側面または底面の内部に形成してもよい。また、ノズル１２の吐出方向は可変とすることが好ましい。
【実施例】
【００３８】
以下、本考案の実施例について説明するが、本考案は下記の実施例に限定されない。
【００３９】
（実施例１）
実施例１では、図１に示す水槽１を用いて白髭ウニ（以下、「ウニ」と称する）の養殖を行った。水槽１の材質はプラスチック製であり、幅は１００ｃｍ、長さは５．０ｍ（長さ２．５ｍの水槽を２槽接続した）であった。流水方向に０．５ｃｍ幅のスリット状の穴が形成された底板６を、水槽の底面に設置した。底面の下流側には５０ｍｍの排水口が設けられ、底板６からの水深が８ｃｍになるように水位を調整し、殻長１ｃｍの稚ウニを水槽１に入れて養殖した。
【００４０】
その後、ウニを殻長１０ｃｍに成長させて生殖巣が成熟した段階で水揚げした。ウニの成長とともに、水深を徐々に増加させていき、水揚げ段階での水深は１５ｃｍであった。
【００４１】
本実施例では、ウニを水槽１内に直接放流したが、カゴを使用する場合は、幅が水槽内幅に略等しく、稚ウニが通過しない程度の開口（例えば０．５ｃｍ）の網目を有するカゴを、水槽１の内部に張る。
【００４２】
水槽１内への養殖水の供給は、ポンプを用いて岸壁から海水を取水し、砂濾過装置とバックフィルターでろ過し、貯水槽に貯留して地熱利用ヒートポンプによる熱交換により２６℃〜２８℃に温度調整した後、流水配管２を介して給水管３から水槽内へ海水を３０リッター／分で掛け流しで供給した。
【００４３】
また、水槽１には仕切板７を設置し、内部領域を３つの領域に区切った。そして、養殖開始後１ヶ月ごとに、殻長に基づいて、成長の遅い個体、標準的な個体、および成長の早い個体の３つの個体群に分類し、各個体群を、上述の３つの領域に振り分けた。個体群ごとに餌の種類を変えて、生殖巣の成熟を促進した。成長の早い個体群は、３ヶ月で殻長１０ｃｍに成長し、十分に成熟した段階で水揚げした。
【００４４】
（実施例２）
実施例２では、図１に示す水槽１を用いて、アワビの養殖を行った。水槽１の材質、大きさ等は実施例１と同一であった。底板６からの水深が１５ｃｍになるように水位を調整し、２ｃｍの稚アワビを水槽１に入れて養殖した。水深１５ｃｍにする理由は、アワビの場合、シェルターを必要とするためである。シェルターは、波型のプラスチック板を２枚組み合わせ、高さが１０ｃｍ程度になるようにし、所々に直径１０ｍｍ程度の穴を開けた構造とした。
【００４５】
養殖水としては人工海水を使用した。水槽１内に貯留した人工海水の塩濃度は、蒸発した水分の補充を行うことにより調整した。水槽１から排出された海水は、プロテインスキーマーとバックフィルターでろ過し、さらに、脱窒を行うための固定床式脱窒装置によって海水中の尿を無害化した。水温は地下水熱交換により１８℃〜２０℃に調整した。
【００４６】
アワビは養殖開始後、約１５ヶ月で１５ｃｍに成長し、その後水揚げした。
【符号の説明】
【００４７】
１    養殖水槽
１ａ  底面
２    流水配管
３    給水管
４    排水管
５    オーバーフロー排水管
６    底板
７    仕切板
８    排水口
９    支持部材
１０  水生動物
Ｃ    角部
Ｄ    最大水深
Ｅ    楕円
Ｓ    円
【図１】
0003215559.tif 000003
【図２】
0003215559.tif 000004
【図３】
0003215559.tif 000005
【図４】
0003215559.tif 000006
【図５】
0003215559.tif 000007
【図６】
0003215559.tif 000008
【図７】
0003215559.tif 000009